(57)【要約】【課題】　本発明の目的は、符号化がフィルムフレーム間で簡単で容易に記録できる、改良されたカメラ及び方法を提供することである。【解決手段】　カメラは露出開口部を囲む露出フレームを有する本体を備える。露出フレームは窓を有する。マスクコアは本体に設置されている。マスクコアは、露出フレームに横行して延在する回転軸を有する。マスクコアは、回転軸に関して配置された複数のセクターを有する。各セクターは、窓に隣接する活性位置を有する。各セクターは、それぞれの活性位置で窓を異なるように遮る。ドライブはマスクコアに結合される。ドライブは、各セクターの活性位置間でマスクコアを選択的に回転する。【選択図】　図１
2004133450.tif 000002
【特許請求の範囲】
【請求項１】
　露出開口部を囲んでいる窓を含む露出フレームを有する本体と、
　前記本体に設置されて、前記露出フレームに横行して延在する回転軸を有し、前記回転軸に関して配置された複数のセクターを有し、各前記セクターは前記窓に隣接する活性位置を有し、各前記セクターはそれぞれの前記活性位置で前記窓を異なるように遮ることを特徴とするマスクコアと、
　前記マスクコアに結合されて、各前記セクターの前記活性位置間で前記マスクコアを選択的に回転するドライブと、
を備えてなることを特徴とするカメラ。
【請求項２】
　シェルと、
　前記シェルに配置された撮像レンズと、
　前記シェルに配置されて、前記撮像レンズから光を受けるために配置された露出フレームを有し、前記露出フレームは露出開口部を取り囲み、前記露出フレームは前記露出開口部の横に隣接する窓を有し、前記露出フレームに横行して延在する通路を有するカメラフレームと、
　前記通路に設置されて、前記通路に沿って延在する回転軸に関して回転式であり、複数の光を遮る部分を有し、各前記光を遮る部分は伝導された光を減衰し、複数の光を伝導する部分を有し、各前記伝導する部分は少なくとも部分的に伝導性であり、複数のセクターを有し、前記伝導する部分は各前記セクターで異なる形態を有するマスクコアと、
　代替として、前記マスクコアに結合されて、前記窓を備える各前記セクターを整列するように前記マスクコアを選択的に回転するドライブと、
を備えてなることを特徴とするカメラ。
【請求項３】
　写真フィルムに情報をコード化する方法であって、該方法は、
　フィルムストリップを保持する露出フレームに横行して延在する通路により光を導く段階と、
　前記露出フレームの窓により前記光を前記フィルムストリップに拡散する段階と、
　前記導入段階において、前記フィルムストリップにパターンをコード化するように前記光を変調する段階と、
を有することを特徴とする方法。
【発明の詳細な説明】
【技術分野】
【０００１】
　本発明は、写真と、写真設備及び写真方法に関し、より詳細には横行の光エンコーダを有するカメラに関する。
【背景技術】
【０００２】
　写真のフィルムストリップ上の光学的に記録された符号化は、印刷及び他の機能を制御するために長期間にわたって使用されている。光学的な符号化があり、写真の被写体から反射された光であるか、又は光学的な符号化を記録するための照明を提供するカメラの光源からの直接の光を使用することが示唆されている（例えば、特許文献１参照。）。かかる特許文献１はまた、符号化を書き込む周囲の発光の使用は、記録された情報が数多の発光条件の下で識別することが困難でありうる欠点を受けることを注意する（さらに、特許文献１参照。）。
【０００３】
　使い捨てカメラが組立てられる前に、フィルム上に符号化をあらかじめ記録することが知られている。さらに、撮像時におけるカメラ条件に基づいて選択された画像フレームのための符号化を記録すると知られている。それら両方の手段を組み合わせる方法がある（例えば、特許文献２参照。）。第一の符号化は組み立て前にフィルム上にあらかじめ記録され、第二の符号化は選択スイッチの位置に基づいて選択されたフィルムフレームに追加される。フィルムユニットのすべての画像に適用する符号化は、繰り返すよりもむしろすべてのフレームに適用するように記録できる。可視可能なバーコードのフィルムユニットの外部に広範囲な情報を記録するものがある（例えば、特許文献３参照。）。
【０００４】
　符号化は様々な位置に配置できる。フィルムフレームに隣接するフィルムの縁で光学的な符号化の配置がある（例えば、特許文献２参照）。それぞれのフィルムフレーム内か、又はそれぞれのフィルムフレームに接するか、いずれかにおいて、画像の横で接する光学的な符号化の配置がある（例えば、特許文献４参照。）。偽りのパノラマ式及び偽りの望遠式最終画像フォーマットにおける１ペアのコード信号プレートとタンデム式に移動する、摺動式のファインダーマスクのペアを有する使い捨てカメラがある（例えば、特許文献５参照）。それぞれのファインダーマスクがファインダー位置にある場合、コード信号プレートは、露出開口部の部分を覆う。一つのコード信号プレートは、１つのスロットを有するように例証された。別のものは、２つのスロットを有するように示されている。（画像内容はスロットによって可視できる。）最終画像は、コード信号プレートによって成されたパターンを獲得する。
【０００５】
　写真の仕上げ指示を提供するようにフィルムストリップで光学的な符号化を使用することが周知である。回転ディスクを有するカメラがある（例えば、特許文献６参照。）。かかるディスクは、中央軸に関して異なる位置で３つの異なるパターンを有する。かかるパターンは、一つの穴と、２つの穴と、及び３つの穴である。ディスクは特定の符号化において回転されて、光源からの光はフィルム上に符号化を露出させるために通り抜けて光る。また、偽りのズームの作用を示すファインダーエンコーダの使用がある。
【０００６】
　現行の多数の利用可能なデジタルの写真仕上げシステムがフィルム画像を走査するが、フィルムの縁を走査しない。
【特許文献１】米国特許第５，７４０，４７９号明細書
【特許文献２】米国特許第６，３３２，０５９号明細書
【特許文献３】米国特許第５，７６１，５５８号明細書
【特許文献４】米国特許第５，５８７，７５２号明細書
【特許文献５】特開平４−３２８５３７号公報
【特許文献６】特開昭５４−２６７２１号公報
【発明の開示】
【発明が解決しようとする課題】
【０００７】
　したがって、符号化がフィルムフレーム間で簡単で容易に記録できる、改良されたカメラ及び方法を提供することが望ましい。
【課題を解決するための手段】
【０００８】
　本発明は請求項によって定義される。より広い態様において、本発明は、露出開口部を囲む露出フレームを有する本体を備えるカメラを提供する。露出フレームは窓を有する。マスクコアは本体に設置されている。マスクコアは、露出フレームに横行して延在する回転軸を有する。マスクコアは、回転軸に関して配置された複数のセクターを有する。各セクターは、窓に隣接する活性位置を有する。各セクターは、それぞれの活性位置で窓を異なるように遮る。ドライブはマスクコアに結合される。ドライブは、各セクターの活性位置間でマスクコアを選択的に回転する。
【発明の効果】
【０００９】
　符号化がフィルムフレーム間で簡単で容易に記録できる、改良されたカメラ及び方法を提供することが本発明の有利な効果である。
【発明を実施するための最良の形態】
【００１０】
　本発明の上に記載の特徴、他の特徴及び目的はより明らかとなり、本発明自体は添付図を参照して下記に記載の本発明の詳細な実施態様によって理解されるだろう。
【００１１】
　明確にするために、カメラの背面は示されておらず、数多の他の特徴は簡素な形態で示されている。図１において、フラッシュユニットのリフレクターと光パイプは点線で示される。また、マスクコアのカバー部分は点線で示される。図面は明確さのために、大きさはかなり誇張されている。
【００１２】
　図２において、写真フィルムのセグメント部分は点線で示されている。大きさは明確さのために誇張されている。
【００１３】
　図６において、写真フィルムのセグメント部分は点線で示されている。
【００１４】
　図８において、写真フィルムのセグメント部分は点線で示されている。
【００１５】
　図１４乃至１６において、ギアトレインのギアと停止のペアが示されており、ファインダーレンズユニットの位置が点線で示されている。
【００１６】
　図１７において、ギアとレインの位置と結合軸は点線で示されている。
【００１７】
　カメラ１０は、写真フィルム１６に光画像を捕獲する、露出システム又はキャプチャーユニットを保持する、本体１２を有する。本体１２は構造的な支持体を他の構成部分に提供する。本体１２は、フロントカバー１８とリアカバー２０を有するシェル１４を備える。カバー１８、２０は共に結合されて、ラベル１９（図４で示される）はカバー１８、２０上に付着している。バッフルフレーム２２は、カバー１８、２０間に保持される。ほとんどのカメラの構成部分は、バッフルフレーム２２に付着されているか、又はバッフルフレーム２２とカバー１８、２０との間にトラップされている。バッフルフレーム２２は、カメラフレーム２１と、カメラフレーム２１に接合されたバッフル２６とを有する。
【００１８】
　露出システムは、撮像レンズ及びシャッターアセンブリ２７と、フィルムトランスポート２９と、キーパープレート３１と、ファインダー３４と、及びフラッシュユニット３３を備える。そのような構成部分は当業者にとって周知であるために、露出システムの特徴はここにおいて簡単に提示するだけである。
【００１９】
　撮像レンズ及びシャッターアセンブリ２７は、シャッター３２と、撮像レンズ２４と、及び支持要素３５、３７を備える。撮像レンズ２４は、アパーチャ２５によって光を導き、次いでバッフル２６によって露出フレーム２８に光を導く。撮像レンズ２４は、光軸８４を確定する、一つ以上のレンズ要素を含む。リアの支持要素３５は、シャッター３２とバッフルフレーム２２の設置部分４１に対するスプリングに偏りをかける一つ以上のシャッター３９を保持する。フロントの支持要素３７は、リアの支持要素３５に対する撮像レンズ２４を保持する。フラッシュユニット３３はシャッターアセンブリ２７に隣接し、撮像中にシャッター３２によって接触するフラッシュコンタクト４３を有する。シャッターブレード３２は、電気的に伝導性である。バッテリ４５は、出力を提供するためにフラッシュユニット３３に接続される。
【００２０】
　フィルムトランスポート２９は、フィルムパーフォレーションに嵌合するスプロケットホイール４７と、複合片のメータリングチャージングアセンブリと、フィルムトランスポート２９に回転式移動を供給するためにユーザによって操作されるフィルム送り５１とを含んでいる。さらにカウンターホイール５３が存在し、メータリングチャージングアセンブリによって駆動される。メータリングチャージアセンブリは、メータリングと高エネルギーレベル５５、５７と、一つ以上のバイアススプリング５９と、及びスプロケットホイール４７を嵌合し操作する回転式の複合レベルのカムユニット６１とを含む。キーパープレート３１は、メータリングチャージングアセンブリにより画像露出のためのシャッター３２を解除する、不可欠なシャッター解除６２を有する。
【００２１】
　ファインダー３４は本体１２に配置され、実質的に同一の画像を示すように撮像レンズ２４でレジスターされる。ファインダー３４は、バッフルフレーム２２の一部であるトンネル３６と、フロント及びリアのファインダーレンズ３８、４０とを有する。
【００２２】
　バッフルフレーム２２は、第一と第二のフィルムチャンバー６５、６７を有するフィルムホルダー６３と、チャンバー６５、６７間の露出フレーム２８とを含む。フィルムユニット７１のキャニスター６９は第二チャンバー６７に留まっており、一方でスプール７３は第一チャンバー６５に留まる。フィルムユニット７１のフィルムストリップ１６の端部はキャニスター（示されていない）のスプール７３に付加される。フィルムストリップ１６は、チャンバー６５、６７間の露出フレーム２８に沿って延在する。
【００２３】
　露出フレーム２８は長方形であり、フィルムフレーム４２と内部空間４４（隣接するフィルムフレーム４２間の短セグメント）を保持する。露出フレーム２８は、長方形の露出開口部４８を囲むエッジ４６を有する。露出フレームは１ペアの対立する上下部分２８ａと、１ペアの対立する側面部分２８ｂとを有する。
【００２４】
　フィルムストリップ１６は、各撮像においてフレームごとを基本にして露出フレーム２８により送られる。示されている使い捨てカメラ１０において、フィルムストリップ１６は、カメラの組立て段階においてフィルムキャニスター５２からフィルムロール（示されていない）にあらかじめ巻きつけられる。フィルムストリップ１６は、フィルムトランスポート２９によって送られる。カウンターホイール５３は、フィルムの使用を示すためのしるし（示されていない）を有する。シャッター３２はフィルムトランスポート２９によってチャージされる。シャッター解除６２は、画像露出のためのシャッター３２を解除するようにユーザによってトリッピングされる。
【００２５】
　用語としての「使い捨てカメラ」及び同意用語は、広範囲なカメラ分解なしで、又は部品の置換、又は特別のツールの使用、或いはその他同種のものを伴わなず、プレインストールされた形態で消費者に提供されて、また消費者によってリロードすることができない。ここではカメラ１０に言及して使用される。
【００２６】
　カメラ１０のバッフルフレーム２２は、横行で延在するか、又は好ましくはフィルムストリップ１６の移動方向及び光軸８４に対して垂直である、通路６４を有する。通路６４は、露出フレーム２８により延在している窓６６と、通路６４に相関して挿入される縦の軸７０とを有する。特定の実施態様において、窓６６は、露出フレーム２８の側面部分２８ｂの露出開口部４８に横から位置している。通路６４は、連続しており、窓６６以外では対する端部で閉じることができるか、又は重さを減少するために部分的に削除することができる。例えば、通路６４は、一つの側で一つ以上の個別のバンド又は各端のカップ或いはそのような特質の組み合わせに対して限定可能である。
【００２７】
　マスクコア又はエンコーダ６８は通路６４内に配置される。マスクコア６８は、コアの縦軸７０に関して回転でき、コア６８の縦軸７０に対して平行である。所望の空間を削減するために、比較的接近している適合は、マスクコア６８と通路６４との間に提供することができ、マスクコアの軸７０は通路の軸７２と一致できる。
【００２８】
　ユーザが撮像する場合、マスクコア６８は、それぞれのフィルムフレーム４２と関連して、フィルム１６上に符号化パターン７４を露出する光源からの光を変調する。フィルムストリップがセグメントに切断される場合に分離の機会を減少するので、符号化パターン７４が隣接するフィルムフレーム４２と関連することは好ましい。フィルムフレーム４２符号化パターン７４（上流又は下流）の特定の関係はあらかじめ決定できるか、又は特異的な符号化パターン或いは他の手段によって示されうる。
【００２９】
　マスクコア６８は、異なる符号化パターン７４を提供するために回転される。符号化パターン７４は露出フレーム２８の位置で異なるか、又は色、形態或いはそれら特徴の組み合わせで異なる。個々のマスクコア６８において、すべての符号化パターンは露出フレーム２８での同一位置で露出される。均一なフレームごとのフィルムトランスポートで、符号化パターン７４は、それぞれのフィルムフレーム４２に関して変化しない関係において、各フィルムセグメントにおいて露出される。符号化パターン７４はそれぞれのフィルムパターン４２に重ねることができるが、しかしこれは画像内容を劣化する。符号化パターン７４がフィルムフレーム４２間の内部空間４４に位置することは好ましい。
【００３０】
　マスクコア６８は、マスクコア６８の回転軸７０に関する回転位置で異なる、１セットの符号化パターン７４を提供するように回転できる。異なる符号化パターン７４は、写真仕上げ段階における写真現像に続いて検出できる。各符号化パターン７４は、印刷数及び印刷種類か、又は他の最終画像や、デジタル画像変調及びそれらに類似するような異なる遂行オプションと関連できる。ユーザは、特定のマスクコア６８の利用可能な符号化パターン７４のセット内で、所望のように、フレームからフレームへと符号化パターン７４を変化できる。特定のフィルムフレーム４２と関連する符号化パターン７４は、その特定のフィルムフレームにおける達成オプションを示すことができるか、又はフィルムフレームの属若しくは全体のフィルムユニットにおけるオプションを示すことができる。後者において、オプションが変化されたか、又はフィルムユニットにつき一度だけの場合、符号化パターン７４はフィルムだけに露出できる。異なるカメラ１０のマスクコア６８はまた異なる。この差異は、カメラの種類など又は遂行オプションの多数セットのセットが写真仕上げで提供されるためのようにその情報を伝えるために使用されることができる。
【００３１】
　マスクドライブ７８は、マスクコア６８に接続される。図１に示される実施態様において、マスクドライブ７８は手動である。シャフト８０は、本体１２によりマスクコア６８からノブ８２まで延在する。ノブはユーザによって所望の位置まで回転される。カメラ本体は、ユーザが利用可能な位置を確認するのを助けるためにしるし８２ａ（図３に示される）を提示することができる。しるし８２ａは、予期される写真仕上げによって提供されるであろう利用可能なデジタル変調（図３にｘ、ｙ、ｚで示されている）を示すことができる。ギアのトレイン（示されていない）又は摩擦ホイールは、シャフト８０とマスクコア６８との間に提供できる。
【００３２】
　マスクドライブ７８は電気モーター１２３によって出力される。ユーザはマスクドライブ７８をスイッチによって操作できるか、又はカメラ１０内のプログラムコンピュータ９０によるモーター１２１に接続されたユーザコントロールによって操作できる。電気的な駆動のマスクコア６８の位置付けは、ズームレンズの位置付けと同様の手法で提供できる。例えば、ステッパーモーターが使用できるか、又は代替として、フィードバックは特定の位置が到達した場合を示すように使用できる。摩擦ディスク又はマスクコアに接続されたギアは、コードプレート（例示されていない）を有することができるか、又はフィードバックを行なう同種のものである。
【００３３】
　光源は画像の光でありえる。図２は、露出時に画像から光を露出開口部４８とマスクコア６８の正面に面する部分に伝導する、変調されたバッフル２６ａの部分を点線部分で示す。カメラはさらに、専用の光経路及びシャッター（示されていない）を提供するために変調できる。
【００３４】
　符号化パターン７４をすべて露出させる光源が一定の強度にあることが好まれる。この理由において、ランプ８６又はフラッシュユニット３３からの光などの内部光源の使用は、画像照明の使用において好ましい。図２は、露出開口部４８に対する画像の光を制限するバッフル２６を実線で示す。マスクコア６８の前方に面する部分は、本体（示されていない）の光をロックする特質によって保護される。
【００３５】
　便利なランプ８６は、発光ダイオードであるか、又は小型のタングステンランプである。発光ダイオード又は他のランプ８６からの照明は、各露出で発生する。各露出でストロボをフラッシュする回路は当業者にとって周知であり、同時に発光ダイオードを発光するように容易に変調される。簡素な場合において、ＬＥＤ又は他のランプ８６はカメラ１０のフラッシュユニット３３の一部として提供でき、フラッシュユニット３３とランプ８６は各露出で発火される。図４に示される実施態様において、２つのフラッシュの同時接触は固定されており、シャッター３２は伝導性であり、露出段階において固定接触とブリッジ形成をなす移動接触として作用する。一つが固定された接触で、もう一方が移動式接触などのフラッシュの同時接触における別の形態は、当業者にとって周知である。
【００３６】
　フラッシュユニット３３から独立しているランプ８６の回路は、フラッシュユニットにおいて使用されるような同時接触によって操作できる。かかる同時接触は当業者にとって周知である。持続している光は、各露出において同一であり、タイマー回路によって決定できるか、又は、カメラのマイクロプロセッサの時計機能若しくはカメラ制御システム９０（図１８に示される）の別の計算装置などとして提供できる。例えば、発光ダイオードを有する出力回路は、ユーザが撮像時に発光ダイオードの発光を引き起こすフラッシュの同時接触によって瞬間的に閉じられる。さらに、持続する光は、シャッター３２がランプ８６の適切な操作において十分な持続期間の露出に限定される場合において、カメラシャッター３２によって制御できる。
【００３７】
　フラッシュと管とリフレクターとのアセンブリ９６から光を伝導する光パイプ９４（点線によって図１に示される）は、個別のランプ８６として同じ手法で使用できる。
【００３８】
　マスクコア８６は、一つ以上の光を遮る部分９８を有し、好ましくは、一つ以上の光を伝導する部分１００を有する。一つ以上の光を遮る部分９８と一つ以上の光を伝導する部分１００は、窓６６を備えて軸方向に整列している。各遮る部分９８は、光源からの光を遮る、すなわち、減じる。遮りは完全にできる（シャドウイングとしてここで言及される）か、又は遮りはフィルター化できる。各光を伝導する部分１００は光を伝導し、選択的に、その光をフィルターすることができる。遮る部分９８は、部分的又は完全に光を遮断する。伝導部分１００は、部分的又は完全に光を伝導する。部分的な伝導及び部分的な遮断は、両者ともフィルター化と呼ばれる。光を伝導する部分１００と光を遮る部分９８を隣接することは、両者とも光をフィルター化し、そうであれば、２つの部分９８、１００は異なってフィルター化される。例えば、光を伝導する部分１００はグリーンフィルターでありえ、隣接した光を遮る部分９８はレッドフィルターでありえる。
【００３９】
　マスクコア６８が、一つ以上の光を伝導する部分１００に代わって一つ以上の光を遮る部分９８を有することは現行の時点において好ましい。代案は、光を伝導する部分１００を空虚な空間で置き換えることである。これはマスクコア６８を限定した物理的な支持体に託す状態にするが、これは好ましくない。
【００４０】
　マスクコア６８が、端から端までの一定の円筒形状を有することが現行の時点において好ましい。この場合、マスクコア６８は連続的な中空形態であるか、又は固体の円筒状の支持体１０３である。光を伝導する部分１００及び光を遮る部分９８は、円筒の区別された領域である。異なる部分９８、１００の異なる遮り及び／またはフィルター化効果は、異なる物質の使用又は初期の均質な物質の調節によってマスクコア６８のバルク全体にわたって提供できる。しかしながら、このアプローチは比較的複雑である。均一な円筒状の支持体表面だけでマスクコア６８は、光を伝導する部分１００及び光を遮る部分９８に分割することが現行の時点において好ましい。これは図１２ｂに示される。支持体１０３を覆う層１０４は、部分９８、１００となる支持体１０３の光学特徴を調節する。層１０４は中空の支持体の内部表面でありうるが、しかし支持体１０３の外面をカバーとしてより便利である。例えば、ラベル又は印刷は、光を伝導する部分及び光を遮る部分９８に区切りを提供するように、均一な光が伝導する支持体の外面に適用できる。層１０４は均一（塗料の塗布において）であるか、又は２つ以上のサブ層（接着剤の塗布を保持する支持体を有するラベルとして）でありうる。層１０４は光を遮る部分９８に限定できるか、又は層１０４の光を伝導する特徴の適切な選択で光を伝導する部分１００及び光を遮る部分９８を含むことができる。層１０４はまた、窓６６から軸方向に相殺される、コアマスク６８の端部１０６、１０８を覆う。これは、カメラ１０内の迷光を減じる。
【００４１】
　マスクコア６８は、端部１０６、１０８又は窓６６に反対の正面から、或いは内部の照明から拡散して発光する。マスクコア６８はまた、光源から縦に光を伝導する光パイプ９４として作用する。適切に位置したスクラッチ又は他の反射特徴によって光を外へ向かって広げることができる。
【００４２】
　光を伝導する部分１００及び光を遮る部分９８は、マスクコア６８の異なるセクター１１０で異なる。（セクター１１０は、特定の符号化値を有するマスクコア６８の最低限の区分である。セクターの角度サイズはマスクドライブ７８の正確な関数である。）マスクコア６８は、所望の効果において符号化パターン７４を提供する窓６６に隣接する活性位置で選択されたセクター１１０を位置するように同調される。
【００４３】
　光を伝導する部分１００及び光を遮る部分９８は、境界１０２（図５及び７ａの点線で示される）によって分割される。境界１０２は螺旋でありうるか、又は一つの端からもう一方の端に向かって徐々に変化できるか、又は特定のコードスキームの異なる値と一致して変化できる。図５において、螺旋状のマスクの境界１０２は、支持体の周りを螺旋状になる角度のある端４６を有する、遮る部分９８によって提供される。境界１０２はまた、不均一な手段でセグメント１０１からセグメント１０１に変化できる。例えば、特定のコードスキームは連続的な範囲の値を有してもよいが、しかしそれら値の制限された選択だけが特定のマスクコア６８で利用可能である。
【００４４】
　通路６４の窓６６は、連続的なスロットの形態であるか、又は一連の小型の分割された穴でありうる。前述した両者の場合において、窓６６は、フィルムストリップ１６の移動方向に対して横行に延在する、縦の大きさを有する。（図に示されている実施態様において、窓６６の縦の大きさはまた、露出開口部４８の主な長さに平行な架空の線に対して横行する。）符号化パターン７４が隣接するフィルムフレーム４２間で単一の内部空間４４に各々限定される、フィルムストリップ１６で空間を節約することは好ましい。窓６６の最長の長さは、隣接するフィルムフレーム４２間の内部空間４４における最長の長さと整列することはこの目的において便利である。
【００４５】
　フィルムの移動方向と平行方向の窓６６の幅は、露出開口部４８に関する窓６６の位置付けするので、大部分は便宜の問題である。一般的に、この図は広い内部空間において位置付けされた広い窓６６を示す。これは説明の目的のためにある。より狭い長さは望ましい。例えば、図５乃至６を参照すること。フィルムフレーム４２に近い過度の幅又は位置付けは、直接的であるか、又は光の拡散する結果としてのいずれかにおいて画像劣化の結果となりうる。幅は、符号化パターン７４の重要な特徴が、予期するスキャナーのピクセル間の内部空間よりもすべて広いようなものである。（その特徴の存在又は欠如が情報を伝える場合、特徴は重要である。）
　スロット状の窓６６は、アナログデータを提供するために螺旋状の境界１０２を有するマスクコア６８で使用できる。実際の使用において、アナログデータを備えるマスクコア６８の位置における多数の利用性は、窓６６に関して正確にマスクコア６８を位置付けする困難さによって相殺されてよい。
【００４６】
　代替として、窓６６は穴の線に分割できる。このアプローチは利用可能な異なる符号化値の数を制限するが、しかし、符号化パターン７４の各ドット周囲の高コントラストな背景を提供する利点を有する。さらなる利点は、穴が露出フレーム２８を横切って不均一に位置付けできることである。例えば、フィルムフレーム４２の中間エリア１１２は回避することができる。このアプローチは、現行において多数の利用可能なデジタルの写真仕上げシステムによって使用されるエッジ検出システムを考慮する。かかるシステムは中間エリアにおいてフィルムフレーム４２のエッジを検出し、その検出されたエッジに基づくスキャニング、印刷、及び切断などのさらなる処理を提供する。穴の線の形態における窓６６は妨害でき、穴は誤ったエッジ検出の可能性を回避するために必要なようにサイズ化できる。
【００４７】
　図５及び７ａ乃至７ｂは、異なるマスクコア６８を例示する。図５において、符号化パターンは、マスクコアが回転されるように垂直に上下移動する境界１０２を有する、露出バーによって提供される。図７ａ乃至７ｂにおいて、符号化パターンはドットのパターンとして形成される。情報は、色又は位置或いは両者に基づく符号化パターンによって伝導できる。
【００４８】
【表１】
2004133450.tif 000003
【００４９】
【表２】
2004133450.tif 000004
　表１乃至２は、数値的な値を有する符号化パターン７４を提供するために使用できる、２つの異なるマスクコアのレイアウトを例示する。各レイアウトは、６の異なる位置に対して移動可能であるマスクコア６８において基づく。図１は基礎２のコードである。各Ｘは、露出されたドットであるか、又は他のマークを示す。表の空欄は、露出されないエリアを示す。表２は、異なる４色を使用する基礎４のコードである。後者のアプローチは、マスクコア６８の光を伝導する部分１００がマスクコア６８のすべての位置におけるセグメント１０１に含まれるという追加的な利点を有する。結果として、符号化パターン７４は各フィルムフレーム４２においてコード化される。これは、特別の符号化値又は誤差条件のいずれかを示す符号化の欠如によって示された曖昧さを除去する。別の代替となるコードは、グレーコードなどを使用できる。
【００５０】
　マスクによって提供される異なるコードは、写真仕上げでの修正を提供するために使用できる。例えば、修正は印刷数を選択された数に変更するように提供できる。コードは、白黒又はセピアなどに画像の変化を提供できる。コードはまた、印刷フォーマットにおける変更を提供できる。例えば、印刷は、通常フォーマットから偽パノラマフォーマット又は偽りのズームフォーマットに変化できる。
【００５１】
　この場合、カメラ１０は、マスクコアとタンデム式に移動されるファインダーマスク１１２を有する。図９乃至１１は、そのようなファインダーマスク１１２の実施例を例示する。マスク１１２は、２つの位置を有し、撮像レンズ２４の周りを回転する。マスク１１２はマスクドライブ７８によって駆動される。図９乃至１１に示されるカメラにおいて、マスクは、一つ以上のギアのトレイン１１６又は摩擦ホイールによって駆動される、ラック又は摩擦表面１１４をそれぞれ有する。トレイン１１６は、シャフト８０に設置されたギア又は摩擦ホイールを有する。
【００５２】
　ファインダーマスク１１２は、偽りのパノラマ式フォーマット及び偽りの望遠式フォーマットをそれぞれ定義するレチクル又は不透明な領域１１８、１２０を有する。マスク１１２は、第三のフォーマットにおけるファインダーから間隔が置かれる。
【００５３】
　図１３乃至１７の実施態様において、ファインダーマスク１１２は、マスクコア６８に機械的に結合されたトレイン１３２によって駆動される。マスクギアのトレイン１３２における一つのギア又は摩擦ホイール１３２ａは、フロントカバー１８の外部であり、マスク１１２を直接的に嵌合する。マスク１１２は、撮像レンズ２４を取り囲み、拡張されたコウル１４２に対して回転する、大型の円形の開口部１４０を有する。前方のパネル１３６は、マスク開口部１４０に一致する一つの開口部１４４と、ファインダー３６に一致する第二の開口部１４６とを有する。ファインダー３６と前方のパネル開口部１４６は、ＨＤＴＶ印刷フォーマットのファインダー画像を示す。マスク１１２は、正常な比率（２：３）までファインダーにマスキングをする２つのマスキングポート１４８、１５０及び偽パノラマの印刷フォーマットをそれぞれ有する（それらのフォーマットはＡｄｖａｎｃｅｄ　Ｐｈｏｔｏ　ＳｙｓｔｅｍＴＭ（登録商標）カメラで利用可能なフォーマットと一致する）。マスクは３つの位置間で回転される。停止１５２はマスク１１２の過度な移動を防ぐ。
【００５４】
　戻り止めは、ファインダーマスク１１２とマスクコア６８を偏らせるように提供できる。例えば、過剰中心構造（示されていない）は、特定の位置に向かって偏って接続でき、さらに中間位置に対して偏って接続できる。過剰中心構造の代わりは、マスク設定における一連の位置上の戻り止めである。これは図１３乃至１７に例示されている。この場合、マスク１１２のハンドル１３８は、スロット１３０により前方のパネル１３６に延在する。スロット１３０はアーチ形であり、マスク１１２の異なる位置を定義する歯を有する。ハンドル１３８での内部の偏りは、歯によって確定されたマスク位置の各々からのハンドルの不注意な移動を妨げる。マスク位置はマスクコアのそれぞれの位置と一致して、ユーザは撮像された画像の予期されるデジタル修正の提示を見ることができる。戻り止めはまた、接続されたファインダーマスク１１２を有しないマスクコア６８のために提供できる。
【００５５】
　図１９は、印刷するか、又はフィルムストリップ１６の連続的なフィルムフレーム４２に記録されたアーカイブ画像から他の最終的な画像を成す、写真仕上げユニット１１９を概略して描写する。フィルムストリップ１６の潜像を現像するために使用される、化学プロセッサーは描写されていない。写真仕上げユニット１１９は、１９９８年６月１６日に発行された、米国特許第５，７６７，９４５号明細書の開示と同じである。モニター化されたフィルムドライブ１２１は、フィルム供給リール（示されていない）からフィルムストリップ１６をデジタルスキャナー１２２によりフィルム受けリール（示されていない）に送る。多数のフィルムユニットからのフィルムストリップ１６は、フィルム供給リール上の連続的なウェブへ共に結合することができる。スキャナー１２２は、フィルムフレーム４２及び符号化パターン７４によりスキャナーヘッド１２６に光を導く、イルミネーター１２４を有する。スキャナーヘッド１２６は、電荷結合素子（ＣＣＤ）などの画像センサーを有する。画像センサーによって提供され、結果となるアナログ電子画像は、デジタル形態に変換されて、アナログからデジタルへの（Ａ／Ｄ）変換器（示されていない）によって必要なように増幅され、制御ユニット１２７に送信される。
【００５６】
　制御ユニット１２７は、電子画像の従来のデジタル画像処理を提供する、プログラムコンピュータ等である。制御ユニットは、検査表又はメモリに局所的或いは遠隔的に記憶された同様の表を使用して、符号化パターン７４の所定のリスト及び対応するデジタル修正に対して検出された符号化パターン７４を確認する。それぞれのデジタル修正は電子画像に適用されて、結果となる修正画像は、プリンター１２８などの出力装置に出力される。
【００５７】
　制御ユニットは一般的な目的でコンピュータシステムの一部でありうるか、又は、写真仕上げ設備の専用部分でありうる。後者の場合、中央処理ユニットは、時々、画像データマネージャー（ＩＤＭ）として呼ばれる制御システムの一部分でありうる。コンピュータシステム又はＩＤＭはメモリを含み、さらにディスプレイと、オペレータによって管理及び介入を可能にするユーザ制御を含む。
【００５８】
　カメラ１０は、一般的に簡素化された実施態様に関連してここに記載されている。同様の考慮は他の実施態様においても適用する。例えば、カメラ１０は、特定効果を示すためにマスクを提供するよりも真の画像のファインダー３４を含むことができる。カメラ１０はまた、特定効果を示すことができる、デジタルディスプレイ及び／又はデジタルファインダー３４を含むことができる。符号化パターン７４は、個々のフィルムフレーム４２に関連して記載されている。符号化パターン７４は、識別番号及びユーザ情報などのフィルムユニット５０全体に関係する情報を記録することができる。符号化パターン７４はまた、例えば、フィルムユニット５０のリーダー又はトレーラーにおけるフィルムフレーム４２から独立して位置付けできる。マスクコア６８は回転式移動に関連して記載されている。マスクコア６８は、窓６６に関して通路６４に沿って縦方向で追加的に又は代わって移動できる。複合のマスクコア６８はカメラ１０に提供できて、マスクコアの使用は他の符号化方法と組み合わせできる。
【００５９】
　本発明はある好ましい実施態様を参照して詳細に記載されているが、変更及び修正は本発明の趣旨及び範囲内においてなされることが理解されるであろう。
【００６０】
　本発明の別の特徴
　１．露出開口部を囲んでいる窓を含む露出フレームを有する本体と、前記本体に設置されて、前記露出フレームに横行して延在する回転軸を有し、前記回転軸に関して配置された複数のセクターを有し、各前記セクターは前記窓に隣接する活性位置を有し、各前記セクターはそれぞれの前記活性位置で前記窓を異なるように遮ることを特徴とするマスクコアと、前記マスクコアに結合されて、各前記セクターの前記活性位置間で前記マスクコアを選択的に回転するドライブとを備えてなることを特徴とするカメラ。２．前記窓は前記露出開口部の横である特徴１のカメラ。３．前記窓は一連の間隔が置かれた穴に分割される特徴１のカメラ。４．前記穴は前記露出フレームを横切って不均一に位置付けられる特徴３のカメラ。５．前記マスクコアは１ペアの対する端部及び前記露出開口部に隣接する前記窓を有し、前記端部から間隔が置かれた特徴１のカメラ。６．前記端部の一つに隣接するランプをさらに含む特徴５のカメラ。７．前記マスクコアは、光を伝導する支持体と、該支持体に結合した光を修正する層とを含む特徴１のカメラ。８．前記露出フレームと整列するファインダーと、該ファインダーに関する複数の位置間で前記ドライブによって前記マスクコアとタンデムな移動式のファインダーマスクとをさらに含む特徴１のカメラ。９．前記マスクコアは一つ以上の光を遮る部分を有し、各前記光を遮る部分は伝導された光を減衰する特徴１のカメラ。１０．前記マスクコアは一つ以上の光を伝導する部分を有し、各前記伝導する部分は少なくとも部分的に伝導性である特徴９のカメラ。１１．少なくとも一つの前記光を遮る部分と光を伝導する部分の少なくとも一部分はカラーフィルターである特徴１０のカメラ。１２．各前記光を遮る部分と光を伝導する部分の少なくとも一部分はカラーフィルターである特徴１０のカメラ。１３．前記光を遮る部分と光を伝導する部分は整列されて、前記窓を備えて軸方向で前記光を遮る部分と光を伝導する部分は前記回転軸に関して異なる形態のセクターに分割される特徴１０のカメラ。１４．前記光を遮る部分と光を伝導する部分は、２より大きい数学的な基礎で数値的値を定義する配置で位置される特徴１０のカメラ。１５．前記露出フレームに光を導く撮像レンズをさらに含み、前記マスクコアは前記撮像レンズと前記露出フレームとの間に位置する特徴１のカメラ。１６．シェルと、前記シェルに配置された撮像レンズと、前記シェルに配置されて、前記撮像レンズから光を受けるために配置された露出フレームを有し、前記露出フレームは露出開口部を取り囲み、前記露出フレームは前記露出開口部の横に隣接する窓を有し、前記露出フレームに横行して延在する通路を有するカメラフレームと、前記通路に設置されて、前記通路に沿って延在する回転軸に関して回転式であり、複数の光を遮る部分を有し、各前記光を遮る部分は伝導された光を減衰し、複数の光を伝導する部分を有し、各前記伝導する部分は少なくとも部分的に伝導性であり、複数のセクターを有し、前記伝導する部分は各前記セクターで異なる形態を有するマスクコアと、代替として、前記マスクコアに結合されて、前記窓を備える各前記セクターを整列するように前記マスクコアを選択的に回転するドライブとを備えてなることを特徴とするカメラ。１７．前記撮像レンズから前記マスクコアに光を導くバッフルをさらに含む特徴１６のカメラ。１８．フィルムストリップを保持する露出フレームに横行して延在する通路により光を導く段階と、前記露出フレームの窓により前記光を前記フィルムストリップに拡散する段階と、前記導入段階において、前記フィルムストリップにパターンをコード化するように前記光を変調する段階とを有することを特徴とする写真フィルムに情報をコード化する方法。１９．前記導きは、前記通路に位置された円筒状のマスクコアに光を入れることをさらに含む特徴１８の方法。２０．前記光を入れることは前記マスクコアの２つの対する縦の端部の一つに向かうことである特徴１９の方法。２１．前記変調は前記光の部分のフィルター化をさらに含む特徴１８の方法。
【図面の簡単な説明】
【００６１】
【図１】カメラの実施態様を概略する半背面図である。
【図２】図１のカメラのフレーム及びマスクコアの断面図である。
【図３】図１のカメラから本体形状を修正したカメラの斜視図である。
【図４】図３のカメラを拡大した正面からの斜視図である。
【図５】カメラの別の実施態様を概略する半背面図である。
【図６】図５のカメラのフレーム及びマスクコアの断面図である。
【図７ａ】カメラの別の実施態様を概略する半背面図である。
【図７ｂ】図７ａのカメラのマスクコアの図７ａと同じ図である。
【図８】図７のカメラのフレーム及びマスクコアの断面図である。
【図９】異なる位置のマスクコア及びファインダーマスクを示す、カメラの別の実施態様を概略する半背面図である。
【図１０】異なる位置のマスクコア及びファインダーマスクを示す、カメラの別の実施態様を概略する半背面図である。
【図１１】異なる位置のマスクコア及びファインダーマスクを示す、カメラの別の実施態様を概略する半背面図である。
【図１２ａ】図９乃至１１のカメラの断面図である。
【図１２ｂ】図７ｂの修正したマスクコアの断面図である。
【図１３】カメラの別の実施態様における前面からの斜視図である。
【図１４】エンコーダの異なる位置に対応する配位の図１３のカメラのファインダーマスクの正面図である。
【図１５】エンコーダの異なる位置に対応する配位の図１３のカメラのファインダーマスクの正面図である。
【図１６】エンコーダの異なる位置に対応する配位の図１３のカメラのファインダーマスクの正面図である。
【図１７】図１３のカメラの部分的に拡大した斜視図である。
【図１８】エンコーダのアセンブリと、別の実施態様のカメラの関連したカメラの特徴を概略する半図である。
【図１９】カメラに露出されたフィルムストリップ上に符号化パターンを読み込みできる写真仕上げユニットを概略する半斜視図である。
【図２０】フィルムフレームと、内部空間と、及び符号化パターンを示すフィルムストリップの一部分を概略する半背面図である。
【符号の説明】
【００６２】
　１０　　　カメラ
　１２　　　本体
　１４　　　シェル
　１６　　　フィルムストリップ
　１８　　　フロントカバー
　１９　　　ラベル
　２０　　　フロントカバー
　２１　　　カメラフレーム
　２２　　　バッフルフレーム
　２４　　　撮像レンズ
　２５　　　アパーチャ
　２６　　　バッフル
　２６ａ　　バッフル
　２７　　　シャッターアセンブリ
　２８　　　露出フレーム
　２８ａ　　１ペアの対立する上下部分
　２８ｂ　　１ペアの対立する側面部分
　２９　　　フィルムトランスポート
　３１　　　キーパープレート
　３２　　　シャッター
　３３　　　フラッシュユニット
　３４　　　ファインダー
　３５　　　支持要素
　３６　　　トンネル
　３７　　　支持要素
　３８　　　ファインダーレンズ
　３９　　　シャッター
　４０　　　ファインダーレンズ
　４１　　　設置部分
　４２　　　フィルムフレーム
　４３　　　フラッシュコンタクト
　４４　　　内部空間
　４５　　　バッテリー
　４６　　　エッジ
　４７　　　スプロケットホイール
　４８　　　露出開口部
　５１　　　フィルム送り
　５２　　　フィルムキャニスター
　５３　　　カウンターホイール
　５５　　　高エネルギーレベル
　５７　　　高エネルギーレベル
　５９　　　バイアススプリング
　６１　　　カムユニット
　６２　　　シャッター解除
　６３　　　フィルムホルダー
　６４　　　通路
　６５　　　フィルムチャンバー
　６６　　　窓
　６７　　　フィルムチャンバー
　６８　　　マスクコア
　６９　　　キャニスター
　７０　　　縦軸
　７１　　　フィルムユニット
　７２　　　通路の軸
　７３　　　スプール
　７４　　　符号化パターン
　７８　　　マスクドライブ
　８０　　　シャフト
　８２　　　ノブ
　８２ａ　　しるし
　８４　　　光軸
　８６　　　ランプ
　９０　　　プログラムコンピュータ
　９４　　　光パイプ
　９６　　　フラッシュと管とリフレクターとのアセンブリ
　９８　　　一つ以上の光を遮る部分
　１００　　一つ以上の光を伝導する部分
　１０１　　セグメント
　１０２　　境界
　１０３　　支持体
　１０４　　層
　１０６　　端部
　１０８　　端部
　１１０　　セクター
　１１２　　中間エリア
　１１４　　摩擦表面
　１１６　　ギアのトレイン
　１１８　　不透明な領域
　１１９　　写真仕上げユニット
　１２０　　不透明な領域
　１２１　　モーター
　１２２　　デジタルスキャナー
　１２３　　電気モーター
　１２４　　イルミネ−ター
　１２６　　スキャナーヘッド
　１２７　　制御ユニット
　１２８　　プリンター
　１３０　　スロット
　１３２　　マスクギアのトレイン
　１３２ａ　摩擦ホイール
　１３６　　前方のパネル
　１３８　　マスクのハンドル
　１４０　　マスク開口部
　１４２　　コウル
　１４４　　一つの開口部
　１４６　　第二の開口部
　１４８　　マスキングポート
　１５０　　マスキングポート
　１５２　　停止
【図１】
2004133450.tif 000005
【図２】
2004133450.tif 000006
【図３】
2004133450.tif 000007
【図４】
2004133450.tif 000008
【図５】
2004133450.tif 000009
【図６】
2004133450.tif 000010
【図７ａ】
2004133450.tif 000011
【図７ｂ】
2004133450.tif 000012
【図８】
2004133450.tif 000013
【図９】
2004133450.tif 000014
【図１０】
2004133450.tif 000015
【図１１】
2004133450.tif 000016
【図１２ａ】
2004133450.tif 000017
【図１２ｂ】
2004133450.tif 000018
【図１３】
2004133450.tif 000019
【図１４】
2004133450.tif 000020
【図１５】
2004133450.tif 000021
【図１６】
2004133450.tif 000022
【図１７】
2004133450.tif 000023
【図１８】
2004133450.tif 000024
【図１９】
2004133450.tif 000025
【図２０】
2004133450.tif 000026